(57)【要約】【課題】  入力パッドで手書きで文字を書き込むことができ、ドキュメントツールの操作も簡単に行なえる入力処理装置を提供する。【解決手段】  表示画面に、手書きツールボード３０とドキュメントツールボード５０が表示される。平面型の入力パッドを操作して手書きで文字を入力すると、手書きツールボード３０の入力パネル３６ａに手書きの軌跡が入力される。その軌跡から認識された文字が入力パネル３６ａ内に活字表示されるとともに、その文字がドキュメントツールボード５０の文字記入領域に書き込まれる。文字列の記入の後に、入力パッドを操作し、手書きツールを経てドキュメントツールを操作しドキュメントツールボード５０に表示されている文字列を変換することができる。【選択図】図８
2010020664.tif 000002
【特許請求の範囲】
【請求項１】
入力パッドおよび前記入力パッドに指示体が触れた位置を検知する検知部を有する入力部材と、前記入力部材から得られる入力信号に基づいて文字を入力する処理部とが設けられた入力処理装置において、
ドキュメントツールが起動されて表示画面にドキュメントツールボードが表示されているときに、前記処理部によって手書きツールを起動して、表示画面に前記ドキュメントツールボードと共に手書きツールボードを表示させることが可能であり、
前記手書きツールボードには、入力パネルが表示されており、前記入力パッドで描かれた軌跡から認識された文字が前記入力パネルに表示され、その文字が前記ドキュメントツールボードに転記されることを特徴とする入力処理装置。
【請求項２】
前記処理部の処理動作により、前記入力パッドで描かれた軌跡から認識された文字が前記入力パネルに表示されるのと同時に、その文字が前記ドキュメントツールボードに表示される請求項１記載の入力処理装置。
【請求項３】
前記手書きツールを起動させた後は、前記入力パッドを指示体で操作した入力信号が絶対座標データとして処理されて、前記入力パネルに、指示体を前記入力パッドの表面で移動させた軌跡が反映されて表示される請求項１または２記載の入力処理装置。
【請求項４】
前記手書きツールボードには、選択パネルが表示されるとともに、前記入力パッドの一部が前記選択パネルに対応する操作領域となり、前記操作領域が操作されると、前記入力パッドを操作した軌跡から認識される文字を確定するための選択動作が行なわれる請求項１ないし３のいずれかに記載の入力処理装置。
【請求項５】
前記手書きツールボードには、選択パネルが表示されるとともに、前記入力パッドの一部が前記選択パネルに対応する操作領域となり、前記操作領域が操作されると、前記ドキュメントツールへの文字の入力モードが切り替えられる請求項１ないし４のいずれかに記載の入力処理装置。
【請求項６】
前記手書きツールボードには、前記入力パネルと前記選択パネル内の選択操作状態を表示する操作パネルとが隣接して表示され、前記入力パッドは、前記入力パネルを操作する操作領域と前記選択パネルを操作する操作領域とに区分される請求項４または５記載の入力処理装置。
【請求項７】
前記手書きツールボードに切り替えパネルが表示されるとともに、前記入力パッドの一部が前記切り替えパネルに対応する操作領域となり、前記操作領域を操作することで、前記ドキュメントツールボードでの文字の表示状態を切り替えることが可能である請求項１ないし３のいずれかに記載の入力処理装置。
【請求項８】
前記ドキュメントツールボードでの文字の表示状態の切り替えは、かな文字列を漢字文字列に変換するときの前記漢字の選択である請求項７記載の入力処理装置。
【請求項９】
前記ドキュメントツールボードでの文字の表示状態の切り替えは、かな文字列を漢字文字列に変換するときの変換すべきかな文字列の文字数の選択である請求項７記載の入力処理装置。
【請求項１０】
前記手書きツールボードの同じ領域に、前記入力パネルと前記切り替えパネルとが切り替えられて表示される請求項７ないし９のいずれかに記載の入力処理装置。
【請求項１１】
前記手書きツールボードが表示されているときに、前記手書きツールボードに表示される設定メニューを選択すると、前記表示画面に、前記手書きツールボードの動作状態を設定する設定ボードが表示される請求項１ないし１０のいずれかに記載の入力処理装置。
【請求項１２】
前記設定ボードによって、前記入力パネルに描かれた軌跡に対応する文字を確定するための時間が設定される請求項１１記載の入力処理装置。
【請求項１３】
前記入力部材には、前記入力パッドと並んで配置されたボタンスイッチが設けられており、前記手書きツールボードには、前記パネルと並んでボタンパネルが表示されており、前記ボタンスイッチを操作すると、前記ボタンパネルに表示されている切り替え動作が行われる請求項１ないし１２のいずれかに記載の入力処理装置。
【発明の詳細な説明】
【技術分野】
【０００１】
本発明は、平面型の入力パッドによって文字を手書き入力して、ドキュメントツールに文字列を入力することができる入力処理装置に関する。
【背景技術】
【０００２】
パーソナルコンピュータに装備されている操作入力部材としては、キーボードやマウスが使用されており、さらにノートブック型のパーソナルコンピュータでは、前記キーボードに併用して入力パッドを有する平面型の入力部材が装備されている。この平面型の入力部材は、人体の指などのように低電位の指示体が入力パッドに接近しまたは接触したときの電極間の静電容量の変化を検知するものである。この静電容量の変化により、座標データを得ることができ、パーソナルコンピュータの制御部では、前記入力部材から得られた座標データに基づいて、外部機器であるマウスが操作されたときと同等の制御信号が生成される。
【０００３】
また、最近では表示画面に重ねられて設けられたタブレット型入力装置をペンで操作して座標データを入力するパーソナルコンピュータも現れている。
【０００４】
以下の特許文献に記載されているように、パーソナルコンピュータのアプリケーションソフトウエアとして、手書きで文字や記号を書き込むことができる各種入力ツールが使用されている。この入力ツールが起動されると、表示画面に入力ツールの入力領域が表示される。
【０００５】
マウスまたは平面型の入力部材の入力パッドを使用し、あるいはタブレット型入力装置を使用して、カーソルを前記入力領域内へ移動させる。そして、マウスのボタンを押しながらマウスを移動させて入力領域内でカーソルを移動させることで、前記入力領域内に文字や記号を描くことができる。または、入力パッドやタブレット型入力装置を指やペンで操作して、前記入力領域内でカーソルを移動させることで、文字や記号を描くことができる。
【特許文献１】特開２００１−９２５９３号公報
【特許文献２】特開２００１−１９５１６４号公報
【特許文献３】特開２００２−２３９３８号公報
【発明の開示】
【発明が解決しようとする課題】
【０００６】
しかし、従来の入力ツールを使用した文字や記号の入力操作では、マウスや入力パッドを操作して、表示画面に表示されている入力領域の内部に位置しているカーソルを移動させ、このカーソルの軌跡で文字などを描くものであり、前記カーソルの移動方向と移動距離とを示すデータが相対座標で出力されるものが主であった。そのために、入力軌跡によって文字などを正確に描くのが難しかった。また、入力ツールで入力した文字が一文字ずつドキュメントツールに転記された時点で、その文字が確定してしまう。そのために、手書き入力をしながら、正しい文字を選択したり、または複数の文字を手書きで描き、その文字列を対応する漢字を含む語句に変換してからドキュメントツールに転記するなどの操作はできない。
【０００７】
さらに、文字を記入するドキュメントツールの動作設定を切り替えたり、ドキュメントツールの表示モードを切り替えたり変更するときには、前記入力ツールでの入力動作を中断し、キーボードなどを使用してドキュメントツールの各種設定状態を変更する必要があった。
【０００８】
本発明は上記従来の課題を解決するものであり、手書き用の入力ツールを使用して、文字列を容易に入力でき、手書き後に漢字などに変換することも可能な入力処理装置を提供することを目的としている。
【０００９】
また本発明は、手書き用の入力ツールを使用して、表示画面に表示されているドキュメントツールボードの表示モードの切り替えなどを可能とした入力処理装置を提供することを目的としている。
【課題を解決するための手段】
【００１０】
本発明は、入力パッドおよび前記入力パッドに指示体が触れた位置を検知する検知部を有する入力部材と、前記入力部材から得られる入力信号に基づいて文字を入力する処理部とが設けられた入力処理装置において、
ドキュメントツールが起動されて表示画面にドキュメントツールボードが表示されているときに、前記処理部によって手書きツールを起動して、表示画面に前記ドキュメントツールボードと共に手書きツールボードを表示させることが可能であり、
前記手書きツールボードには、入力パネルが表示されており、前記入力パッドで描かれた軌跡から認識された文字が前記入力パネルに表示され、その文字が前記ドキュメントツールボードに転記されることを特徴とするものである。
【００１１】
本発明は、好ましくは、前記処理部の処理動作により、前記入力パッドで描かれた軌跡から認識された文字が前記入力パネルに表示されるのと同時に、その文字が前記ドキュメントツールボードに表示されるものである。
【００１２】
入力パッドで描いた軌跡により認識された文字が直ちにドキュメントツールボードに表示されると、複数の文字からなる文字列をドキュメントツールボードに記入することができ、さらにドキュメントツールボードの変換機能を利用して、かな文字列を漢字列に変換することも可能である。
【００１３】
また、本発明は、前記手書きツールを起動させた後は、前記入力パッドを指示体で操作した入力信号が絶対座標データとして処理されて、前記入力パネルに、指示体を前記入力パッドの表面で移動させた軌跡が反映されて表示されるものである。
【００１４】
入力パッドから手書きツールへ絶対座標データが出力されると、入力パッドに指などの指示体を触れて移動させることで、その軌跡をそのまま入力パッドに反映させて表示させることができる。これは、従来のようにマウスまたは入力パッド使用し、さらにボタンのＯＮ−ＯＦＦを併用して、カーソルの軌跡を描くという操作に比べて、文字などを容易に描きやすい。
【００１５】
本発明は、前記手書きツールボードには、選択パネルが表示されるとともに、前記入力パッドの一部が前記選択パネルに対応する操作領域となり、前記操作領域が操作されると、前記入力パッドを操作した軌跡から認識される文字を確定するための選択動作が行なわれる。
【００１６】
また、前記手書きツールボードには、選択パネルが表示されるとともに、前記入力パッドの一部が前記選択パネルに対応する操作領域となり、前記操作領域が操作されると、前記ドキュメントツールへの文字の入力モードが切り替えられる。
【００１７】
上記発明では、入力パッドを操作することで、手書きツールボードのみならずドキュメントツールの動作状態を切り替えることができる。よって、入力パッドの操作のみで、文字入力を効率よく行なうことができる。
【００１８】
本発明は、前記手書きツールボードには、前記入力パネルと前記選択パネル内の選択操作状態を表示する操作パネルとが隣接して表示され、前記入力パッドは、前記入力パネルを操作する操作領域と前記選択パネルを操作する操作領域とに区分されるものとして構成できる。
【００１９】
また、本発明は、前記手書きツールボードに切り替えパネルが表示されるとともに、前記入力パッドの一部が前記切り替えパネルに対応する操作領域となり、前記操作領域を操作することで、前記ドキュメントツールボードでの文字の表示状態を切り替えることが可能である。
【００２０】
上記発明も、入力パッドを操作することで、手書きツールボードのみならずドキュメントツールの動作状態を切り替えることができる。
【００２１】
例えば、前記ドキュメントツールボードでの文字の表示状態の切り替えは、かな文字列を漢字文字列に変換するときの前記漢字の選択である。あるいは、前記ドキュメントツールボードでの文字の表示状態の切り替えは、かな文字列を漢字文字列に変換するときの変換すべきかな文字列の文字数の選択である。
【００２２】
また、本発明は、前記手書きツールボードの同じ領域に、前記入力パネルと前記切り替えパネルとが切り替えられて表示されるものにできる。
【００２３】
上記発明では、入力パッドを文字を描くだけでなく操作領域として使用でき、この操作状態を手書きツールボードにパネル表示することで、誤りのない操作を行なうことができる。
【００２４】
また、本発明は、前記手書きツールボードが表示されているときに、前記手書きツールボードに表示される設定メニューを選択すると、前記表示画面に、前記手書きツールボードの動作状態を設定する設定ボードが表示されるものとすることができる。
【００２５】
この発明では、入力パッドを使用して手書きツールボードの動作設定を簡単に切り替えることができる。
【００２６】
例えば、前記設定ボードによって、前記入力パネルに描かれた軌跡に対応する文字を確定するための時間が設定される。
【００２７】
また、本発明は、前記入力部材には、前記入力パッドと並んで配置されたボタンスイッチが設けられており、前記手書きツールボードには、前記パネルと並んでボタンパネルが表示されており、前記ボタンスイッチを操作すると、前記ボタンパネルに表示されている切り替え動作が行われるものとして構成できる。
【発明の効果】
【００２８】
本発明では、入力パッドを使用して手書きした文字を正確な文字列としてドキュメントツールに転記できる。また、入力パッドを操作することで、手書きツールの動作モードの切り替えができ、さらには入力パッドを操作することで、手書きツールを介してドキュメントツールの動作状態の切り替えも可能になる。よって、入力パッドのみを操作して各種モードの切り替えおよび文字の入力を効率よく行なうことができる。なお、本発明は、入力パッドの操作のみでなく、キーボードを併用して手書きツールを動作させることも可能である。
【発明を実施するための最良の形態】
【００２９】
図１は本発明の入力処理装置を搭載したノートブック型のパーソナルコンピュータを示す斜視図、図２は平面型の入力部材の平面図である。図３は、入力処理装置の回路ブロック図である。図４ないし図１４は入力処理装置の動作を示すものであり、表示画面に表示される手書きツールボードとドキュメントツールボードの表示状態の説明図である。図１５ないし図１７は、入力処理装置の動作を説明するためのフローチャートである。
【００３０】
図１に示すパーソナルコンピュータ１は、本体部２と蓋体部３とが折り畳み可能に連結されている。本体部２の表面の操作盤には、キーボード装置４と、平面型の入力部材５が設けられている。蓋体部３の手前側の面には、液晶表示パネルで形成された表示装置６が設けられている。
【００３１】
図２に拡大して示すように、平面型の入力部材５は、入力パッド７と、その右下に位置している右ボタン８と、左下に位置する左ボタン９とを有している。
【００３２】
入力パッド７は平坦面の入力面７ａを有している。入力パッド７は、Ｘ方向に延びる複数のＸ電極と、Ｙ方向に延びる複数のＹ電極とが、絶縁層を挟んで対向しており、また、隣り合うＸ電極の間にそれぞれ検出電極が設けられている。これら電極の表面に薄い絶縁シートが設けられており、その絶縁シートの表面が前記入力面７ａである。
【００３３】
図３に示すように、入力部材５に設けられた駆動回路１１により、Ｘ電極に順番に所定の電圧が印加され、これとは異なるタイミングでＹ電極に順番に所定の電圧が印加される。入力面７ａにほぼ接地電位の導電体の指示体である指が触れると、指と各電極との間に静電容量が形成されるために、指が接近している部分で、検出電極とＸ電極との間の静電容量が変化し、また検出電極とＹ電極との間の静電容量が変化する。
【００３４】
Ｘ電極やＹ電極にパルス状の電圧が与えられたときに、入力面７ａに指示体が触れていると、前記静電容量の変化により、Ｘ電極と検出電極との間の電圧およびＹ電極と検出電極との間の電圧が変化する。この電圧の変化は検出電極を介してパッド検知部１２で検知される。パッド検知部１２で、検出電極から前記電圧の変化を検出し、そのときにどのＸ電極やＹ電極に電圧を印加しているかのタイミング情報を得ることで、入力面７ａでの指が接触している場所をＸ−Ｙ座標上で検出できる。
【００３５】
したがって、入力面７ａに触れている指を動かすと、その指の移動軌跡をＸ−Ｙ座標上で検出できる。また、指を入力面７ａに素早く接近させて素早く離反させるいわゆるタッピング動作を行ったときには、短時間で電極間の静電容量が変化するため、これをパッド検知部１２で検知できる。
【００３６】
図３に示すように、平面型の入力部材５には、前述のように、入力パッド７のＸ電極とＹ電極に順番にパルス状の電圧を与える駆動回路１１と、入力パッド７に設けられた検出電極の電圧の変化を検出するパッド検知部１２を有している。パッド検知部１２で、入力面７ａ上での指の接触位置をＸ−Ｙ座標上で特定できる。さらに、右ボタン８の押圧操作で動作させられる右ボタンスイッチ８ａと、左ボタン９の押圧操作で動作させられる左ボタンスイッチ９ａを有しており、右ボタンスイッチ８ａと左ボタンスイッチ９ａの操作信号（クリック信号）もパッド検知部１２で検出される。
【００３７】
入力部材５には、パッド入力信号生成部１３が設けられている。パッド入力信号生成部１３では、パッド検知部１２で検出された入力パッド７の操作信号であるＸ−Ｙ座標情報と、右ボタンスイッチ８ａの操作信号および左ボタンスイッチ９ａの操作信号とが、所定のバイト数のフォーマットデータとされて、出力インターフェース１４から出力される。出力インターフェース１４から出力される操作信号は、パーソナルコンピュータの制御部２０に設けられた入力インターフェース２１に与えられる。出力インターフェース１４と入力インターフェース２１はＵＳＢインターフェースなどである。
【００３８】
パーソナルコンピュータ１の制御部２０には、各種ソフトウエアが格納されている。制御部２０にはオペレーティングシステム（ＯＳ）２２が格納されている。このオペレーティングシステム２２で表示ドライバー２３が制御されて、表示装置６に各種情報が表示される。
【００３９】
制御部２０には、手書きツール２４がソフトウエアとしてインストールされており、パッド入力信号生成部１３から得られるフォーマットデータが、前記入力インターフェース２１を経て手書きツール２４に与えられる。手書きツール２４は、図４（Ａ）に示すように、表示装置６の表示画面に、手書きツールボード３０を表示させる。
【００４０】
手書きツール２４が起動し、表示画面に手書きツールボード３０が表示されている状態で、入力パッド７を用いて文字を描くときは、パッド入力信号生成部１３から手書きツール２４に与えられるパッド入力信号が絶対座標データとして処理される。すなわち、指などの指示体が入力パッド７の入力面７ａに触れているときに、その位置が入力パッド７上でＸ−Ｙ座標の絶対座標データとして認識される。そのため、入力面７ａに指を触れてその指を移動させた後に指を入力面７ａから離すと、手書きツールボード３０には、入力面７ａに指が触れて動いた軌跡がそのまま反映されて入力される。そして、入力面７ａに描かれた軌跡に対応する文字が文字認識エンジン２８により認識される。前記文字認識エンジン２８は、制御部２０内にソフトウエアとしてインストールされている。
【００４１】
また、手書きツール２４は、外部機器であるマウスの操作信号と同等の座標データ信号を生成してオペレーティングシステム２２に通知する入力パッドドライバとしての機能も発揮する。この機能により、座標データがオペレーティングシステム２２に通知されたときに、表示画面に表示されたカーソルを、入力パッド７の操作に基づいて移動させることができる。このとき、手書きツール２４からオペレーティングシステム２２に通知される入力信号は、相対座標データである。すなわち、指などの指示体が入力パッド７の入力面７ａに触れて動いたときに、その移動方向と移動距離に関するデータがオペレーティングシステム２２に与えられ、表示画面に表示されたカーソルが移動させられる。
【００４２】
ドキュメントツール２５はソフトウエアとして制御部２０にインストールされている。ドキュメントツール２５は、図４（Ｂ）に示す「メモ帳」やその他のワードプロセッサの機能を発揮できるものであり、表示画面にドキュメントツールボード５０を表示させる機能を有している。手書きツール２４および文字認識エンジン２８で認識された文字データがドキュメントツール２５に送られると、認識された文字がドキュメントツールボード５０に表示される。また、キーボード装置４からの入力によっても、ドキュメントツール２５に文字データを入力することができる。
【００４３】
制御部２０内には辞書ツール２７がソフトウエアとしてインストールされており、辞書ツール２７を使用することで、ドキュメントツール２５に入力されたかな文字列が、漢字や熟語を含む文字列に変換される。
【００４４】
（動作説明）
次に、前記手書きツール２４が起動し、表示画面に手書きツールボード３０が表示されているときの入力動作について説明する。図１５以下のフォローチャートでは、「ステップ１」、「ステップ２」、「ステップ３」、・・・を「Ｓ１」、「Ｓ２」、「Ｓ３」で示している。
【００４５】
図１５に示すＳ１（ステップ１）において、ドキュメントツール２５を起動した後に、Ｓ２で、手書きツール２４を起動する。ドキュメントツール２５を起動せずに手書きツール２４を起動すると、手書きツール２４で文字を認識しようとしたときに、表示画面に警告表示される。
【００４６】
図４（Ａ）（Ｂ）に示すように、手書きツール２４が起動すると表示画面に手書きツールボード３０の画像が表示され、ドキュメントツール２５が起動すると、同じ表示画面にドキュメントツールボード５０の画像が表示される。
【００４７】
図４（Ａ）に示すように、手書きツールボード３０では、長辺が横方向に向く長方形の枠表示３１が表示される。枠表示３１の内部には、長方形のパネル３３とその下側に位置する右ボタンパネル３４と左ボタンパネル３５とが表示される。パネル３３は、図２に示す入力パッド７の入力面７ａの形状を模した表示であり、右ボタンパネル３４と左ボタンパネル３５は、図２に示す右ボタン８と左ボタン９を模したものである。入力パッド７への操作状態は、パネル３３に表示され、右ボタン８の操作状態は右ボタンパネル３４に表示され、左ボタン９の操作状態は左ボタンパネル３５に表示される。
【００４８】
前記パネル３３の内側の表示内容は、手書きツール２４の動作モードに応じて変化する。また、図２に示す入力パッド７内で区分される操作領域も、パネル３３の表示内容の変化とともに動作モードに応じて変化する。すなわち、パッド入力信号生成部１３からのフォーマットデータが手書きツール２４で処理される際、入力パッド７のどの操作領域が操作されているかを、動作モードに応じて区別して認識できる。
【００４９】
図４は初期状態の画像を示しているが、このとき、手書きツールボード３０の画像は、入力パネル３３の内部が、入力パネル３６ａと操作パネル３６ｂとに区分されて表示される。このとき、手書きツール２４では、パッド入力信号生成部１３から送られるデータフォーマットを処理する際に、図２に示すように、入力パッド７の入力面７ａの座標位置を、入力操作領域１６ａと選択操作領域１６ｂとに区分して認識する。入力操作領域１６ａと選択操作領域１６ｂの位置および面積比は、図４（Ａ）に示すパネル３３内の入力パネル３６ａと操作パネル３６ｂに対応している。
【００５０】
図５は、動作モードや入力モードの切り替えを行なうときの表示状態を示している。このとき、操作パネル３６ｂの表示が、上操作パネル３６ｃと下操作パネル３６ｄの表示に切換わる。このとき、図２に示す入力パッド７からの操作信号は、上矢印操作領域１６ｃと下矢印操作領域１６ｄとで区分して認識される。
【００５１】
図９は、かな文字列を漢字を含む文字列に変換する際の入力変換モードを示している。このとき、手書きツールボード３０内のパネル３３の表示画像としては、前記入力パネル３６ａと操作パネル３６ｂが消え、その代わりに、左切り替えパネル３７ａと右切り替えパネル３７ｂが表示される。このとき、図２に示す入力パッド７からの操作信号は、左操作領域１７ａと右操作領域１７ｂとに区分して認識される。左操作領域１７ａは、入力パッド７の入力面７ａの左半分の領域であり、右操作領域１７ｂは、入力面７ａの右半分の領域である。
【００５２】
図４（Ａ）などに示すように、手書きツールボード３０の内部には、前記パネル３３の右側に、選択パネル３８が表示されている。
【００５３】
また、手書きツールボード３０内に表示されている右ボタンパネル３４と左ボタンパネル３５は、その内部の文字の表示や記号の表示が、右ボタン８と左ボタン９への機能の割り当てに応じて切り替えられる。
【００５４】
図４（Ｂ）に示すドキュメントツールボード５０はいわゆる「メモ帳」として使用される。ドキュメントツールボード５０は、枠表示５１の右上部に「最小化」、「最大化」、「閉じる」を指示するボタン表示５２が設けられ、枠表示５１の右辺に縦方向スクロールバー表示５３が設けられている。また、枠表示５１の上辺にメニュー表示５４が設けられている。枠表示５１の内部のその他の領域は文字記入領域５５である。文字記入領域５５の内部には、文字の入力位置を示す入力マーク５６が点滅表示されている。ドキュメントツールボード５０が起動した直後では、入力マーク５６は、文字記入領域５５の左上部で点滅している。
【００５５】
（入力モードの選択動作）
図４（Ａ）に示すように、手書きツール２４を起動した直後の初期状態では、手書きツールボード３０の画像内のパネル３３が入力パネル３６ａと操作パネル３６ｂとに区分されている。また、選択パネル３８内には、入力モードの選択を意味する「半角／全角」「スペース」「改行」「Backspace」「Delete」「Tab」の入力メニューが縦に並んで列記されている。また選択パネル３８の下段に「設定」のメニューが表示されている。この「設定」のメニューは、手書きツール２４の動作状態を設定するためのものである。
【００５６】
設定パネル３８の最下段に「文書／サイン」のメニューが表示されている。このメニューを選択すると、文章入力モードとサインモードとに切り換えることができる。サインモードは、ユーザが入力パッド７の入力面７ａに手書きで記入した署名をそのままキャプチャーして、テキストにペーストする機能である。
【００５７】
また、手書きツールボード３０は、図１６のＳ７において、右ボタン８と左ボタン９を同時に押すことでいつでも閉じることができる。
【００５８】
図４（Ａ）に示す初期状態では、手書きツールボード３０のパネル３３内に表示されている入力パネル３６ａが白色であり、右側の操作パネル３６ｂが、入力パネル３６ａと異なる色で表示されている。このとき、右ボタンパネル３４には右向きの矢印が表示され、左ボタンパネル３５には左向きの矢印が表示されている。図４に示す初期状態において、右ボタン８を押圧操作すると、ドキュメントツールボード５０の文字記入領域５５の内部で点滅している入力マーク５６が１文字分だけ右へ移動する。また、初期状態において、左ボタン９を押圧操作すると、入力マーク５６が１文字分だけ左へ移動する。
【００５９】
選択パネル３８内のメニューを選択するときには、図１５のステップ（Ｓ３）において、図２に示す入力パッド７の右側の選択操作領域１６ｂを指でタッピングする。このタッピングにより、メニュー選択モードに切り替えられ、手書きツールボード３０のパネル３３内の操作パネル３６ｂの表示が、図５（Ａ）に示すように、上操作パネル３６ｃと下操作パネル３６ｄの表示に切り替わる。
【００６０】
さらに、手書きツールボード３０の画像では、右ボタンパネル３４に「キャンセル」の文字が表示され、左ボタンパネル３５に「決定」の文字が表示される。図５（Ａ）の表示状態において、右ボタン８が押圧操作されると、図４（Ａ）に示す初期状態に戻る。
【００６１】
図５（Ａ）の表示状態において、図１５のＳ３に示すように、図２に示す入力パッド７の上矢印操作領域１６ｃをタッピングし、または上矢印操作領域１６ｃに触れた指を上向きにスライドさせると、手書きツールボード３０のパネル３３内の上操作パネル３６ｃが、色が変化するなどのハイライト表示となり、選択パネル３８内に列記されているメニューのうちの選択されたものが上に順に移動していく。選択パネル３８内では、選択されているメニューが他のメニューと異なる色となり、または明るくなるなどのハイライト表示となる。また、入力パッド７の下矢印操作領域１６ｄをタッピングし、または下矢印操作領域１６ｄに触れた指を下向きにスライドさせると、手書きツールボード３０のパネル３３内の下操作パネル３６ｄがハイライト表示となり、選択パネル３８内に列記されているメニューのうちの選択されたものが下へ順に移動していく。
【００６２】
また、図２に示す入力パッド７の、上矢印操作領域１６ｃと上矢印操作領域１６ｃとが上下に連続した選択操作領域１６ｂに指を触れて、選択操作領域１６ｂ内で指を上下に移動させることで、選択パネル２６に表示されているメニューを上下にスクロールさせて、メニューを選択してもよい。
【００６３】
図５（Ａ）は、選択パネル３８内のメニューのうちの「改行」メニューが選択された状態を示している。「改行」メニューが選択されてハイライト表示されているときに（図１５のＳ５）、図２に示す左ボタン９が押されると（図１５のＳ６）、図５（Ａ）に示すように左ボタンパネル３５が異なる色彩に表示され、「改行」メニューの選択が決定する。このとき、ドキュメントツール２５で改行処理が行なわれ、図５（Ｂ）に示すように、ドキュメントツールボード５０の文字記入領域５５の内部で点滅している入力マーク５６が一行分だけ下に移動し、文字記入領域５５内での文字の記入位置が改行される。この改行は、文字記入領域５５に文字を記入している途中においても行なわれることはもちろんである。
【００６４】
また、手書きツールボード３０の選択パネル３８内の「Backspace」メニューが選択され決定されると、ドキュメントツールボード５０の文字記入領域５５内に表示されている複数の文字列内において、入力マーク５６が先に記入された文字に向けて左側へ戻っていく。「スペース」メニューが選択されて決定されると、入力マーク５６が位置する文字間にスペースが形成される。「Delete」メニューが選択されて決定されると、入力マーク５６の左に位置する文字が消去される。「Tab」メニューが選択されて決定されると、入力マーク５６の位置が、予め決められた位置へ移動する。
【００６５】
（手書きツール２４の設定）
図２に示す入力パッド７の下矢印操作領域１６ｄを操作して、選択パネル３８の最下段の「設定」メニューが選択され、左ボタン９が押されてその選択が決定されると、手書きツール２４の処理動作に基づいて、表示画面に、図６に示す設定ボード６０が表示される。この設定ボード６０は、表示画面において手書きツールボード３０およびドキュメントツールボード５０と共に表示される。
【００６６】
設定ボード６０の表示画像は、枠表示６１を有しており、枠表示６１の右上部に「閉じる」ためのアイコン６２が表示される。枠表示６１内には、上方に時間設定部６３が表示され、その下にウインドウの透明度の設定部６４が表示されている。さらに、枠表示６１の下部には、決定（ＯＫ）のためのアイコン６５と、設定ボード６０の表示をキャンセルするためのアイコン６６が表示されている。
【００６７】
図４および図５に示すように、表示画面に手書きツールボード３０が表示され、さらに図６に示す設定ボード６０が表示されているときに、図２に示す入力パッド７の入力操作領域１６ａを指で操作すると、そのときにパッド入力信号生成部１３から与えられたフォーマットデータに基づき手書きツール２４からオペレーティングシステム（ＯＳ）２２に相対座標データが与えられる。この相対座標データにより、表示画面に表示されているカーソルを移動させることができるようになる。よって、入力操作領域１６ａを指で操作して、表示画面に表示されているカーソルを図６に示す設定ボード６０と重なる位置へ移動させることができる。
【００６８】
カーソルを、図６に示す設定ボード６０の時間設定部６３内に移動させ、タッピングするなどの操作によって、設定時間を決めることができる。手書きツールボード３０に文字を記入するときに、入力操作領域１６ａから指を離した後に時間のカウントをスタートし前記設定時間を経過すると、文字の入力が完了したと判断し、入力パネル３６ａに記入された軌跡に基づいて、文字認識エンジン２８によって、描こうとしている文字が推定されて認識される。
【００６９】
また、設定ボード６０の透明度の設定部６４にカーソルを合わせ、タッピングを行なうと、手書きツールボード３０の画像の透明度を変えることができる。例えば、手書きツールボード３０の画像の透明度を高めると、例えば手書きツールボードが重ね表示されているドキュメントツールボード５０の表示状態を、手書きツールボード３０を透して目視しながら文字入力を行なうことが可能になる。
【００７０】
（文字の入力操作）
図６に示す設定ボード６０のアイコン６２，６５，６６のいずれかにカーソルを合わせてタッピング操作を行なうと、設定ボード６０が表示画面から消え、手書きツールボード３０の表示状態が、図４（Ａ）に示す初期状態に戻る。このとき手書きツール２４では、図１７のＳ１１において、入力パッド７の入力操作領域１６ａに指が触れたか否かを監視する。
【００７１】
手書きツール２４が初期状態のときに、入力操作領域１６ａに指が触れたと検知されると、文字入力が開始されたと判断する。文字入力が開示されたと判断すると、図７（Ａ）に示すように、手書きツールボード３０のパネル３３内では、操作パネル３６ｂが消え、その位置に時間通知パネル３６ｅが現れる。この時間通知パネル３６ｅには、入力操作領域１６ａから指を離している時間が刻々と時間表示３６ｆとして表示される。
【００７２】
文字入力が開始されたと判断されると、図７（Ａ）に示すように、右ボタンパネル３４内の表示が「クリア」の文字表示に切り替えられ、左ボタンパネル３５内の表示が「ＯＫ」の文字表示に切り替えられる。
【００７３】
文字入力が開始されたと判断された後は、パッド入力信号生成部１３から手書きツールに与えられるフォーマットデータが、Ｘ−Ｙ座標の絶対座標データとして処理される。すなわち、入力パッド７の入力面７ａの入力操作領域１６ａに指を触れて入力面７ａに沿って摺動させ、その指を離すと、絶対座標データの認識により、手書きツールボード３０の入力パネル３６ａに、指の位置およびその移動位置に応じた軌跡が表示される。入力面７ａから一度指を離した後に、図６に示す設定ボード６０の時間設定部６３で設定された時間が経過し終わる前に、入力操作領域１６ａに再度指を触れて摺動させると、次の軌跡が入力パネル３６ａに描かれる。
【００７４】
すなわち、単に指を入力操作領域１６ａに触れて摺動させるだけ文字を記入でき、従来の相対データを用いた文字の記入のように、左ボタンを押しながら入力パッドに触れた指を動かすことで、画面に表示されたカーソルを移動させて軌跡を描くことに比べて、文字の記入操作が容易である。
【００７５】
入力操作領域１６ａから指を離した後に前記設定時間が経過すると、そのときに手書きツールボード３０の入力パネル３６ａに描かれている軌跡から文字認識エンジン２８で文字が認識される（図１７のＳ１２）。そして、図７（Ｂ）に示すように、選択パネル３８内に、第１候補の文字および第２候補以下の文字が表示される。なお、設定ボード６０による時間設定を行なわずに、操作者が入力パネル３６ａ内に所望の文字の軌跡を描き終わったと判断したときに、左ボタン９を押し「ＯＫ」の入力を行なうことで、入力パネル３６ａに描かれている軌跡から文字認識エンジン２８で文字が認識され、図７（Ｂ）に示す状態に設定されてもよい。
【００７６】
図７（Ａ）では、入力パネル３６ａに手書きによる軌跡が現れているが、図７（Ｂ）に示すように文字の奇跡が描き終わった時点で、入力パネル３６ａに、第１候補として認識された文字が所定のフォントの活字文字で表示される。図７（Ｂ）では「ひ」の活字文字が表示されている。入力パネル３６ａに活字文字「ひ」が表示されるのと同時に、図７（Ｃ）に示すように、ドキュメントツールボード５０の文字記入領域５５の内部で点滅している入力マーク５６の位置に活字文字「ひ」が転記される。また、図７（Ｂ）では、手書きツールボード３０のパネル３３内の時間通知パネル３６ｅが消え、上操作パネル３６ｃと下操作パネル３６ｄが再び表示される。また、右ボタンパネル３４内に「変換」の文字表示が現れ、左ボタンパネル３５に「決定」の文字表示が現れる。
【００７７】
図７（Ｂ）において、入力パッド７の上矢印操作領域１６ｃまたは下矢印操作領域１６ｄが指で操作されると、入力パネル３６ａの右側に表示されている上操作パネル３６ｃまたは下操作パネル３６ｄがハイライト表示され、この操作に基づいて、選択パネル３８内の文字の候補が変更される（図１７のＳ１３）。例えばひらがなの「で」や英文字の「Ｕ」「Ｖ」を選択することもできる。選択パネル３８内の候補の選択を変更する度に、変更した候補の活字文字が手書きツールボード３０の入力パネル３６ａに表示されるとともに、ドキュメントツールボード５０に表示されている文字も新たな候補に入れ替わる。なお、選択パネル３８内に列記されている「キャンセル」を選択してハイライトさせると、入力パネル３６ａに表示されている活字文字が消えるとともに、ドキュメントツールボード５０に表示されている対応する文字も消える（図１７のＳ１４）。
【００７８】
このように、入力パッド７を操作し手書きツール２４を動作させることで、ドキュメントツールボード５０内に表示されている文字候補の変更や消去を行なうことができる。
【００７９】
図７（Ｂ）（Ｃ）に示すように、選択パネル３８内のいずれかの候補が選択されて、いずれかの候補に対応する活字文字（図７（Ｂ）（Ｃ）では「ひ」）が入力パネル３６ａおよびドキュメントツールボード５０に表示されている状態で、入力パッド７の入力操作領域１６ａに指を触れまたはタッピングすると、入力パネル３６ａおよびドキュメントツールボード５０に表示されている候補が確定し、手書きツールボード３０の表示が図４（Ａ）の初期状態に戻り、新たな文字の書き込みを待機する。この初期状態で、入力操作領域１６ａに指が触れたと判断すると、新たな文字の書き込みが行なわれたと判断する。
【００８０】
前記操作を繰り返すことで、ドキュメントツールボード５０の文字記入領域５５の内部に文字列が記載される。図８（Ａ）（Ｂ）に示す例では、文字記入領域５５にひらがなの文字列である「ひとなみだめ」と記載されている。なお、手書きツール２４では、入力パッド７の入力操作領域１６ａを操作することで、漢字の入力も可能である。この場合、図７（Ｂ）および図８（Ａ）に示す文字の入力モードでは、手書きツールボード３０の入力パネル３６ａに第１候補の漢字が表示され、選択パネル３８内に、第１候補の漢字および第２候補以下の漢字が列記される。
【００８１】
図１７のＳ１５において、操作者が所定数の文字の入力を完了したと判断したら、Ｓ１６において、ドキュメントツールボード５０の文字記入領域５５に記載されている文字列の変換が必要か否か判断する。Ｓ１６において変換の必要がないと判断したときは、Ｓ１７で左ボタン９を押圧操作する。手書きツールボード３０が図８（Ａ）に示す入力モードのときは左ボタン９が決定ボタンとしての機能を発揮できるようになっている。左ボタン９が押されると、文字記入領域５５に列記されている文字列の表示が確定する。この確定の後に、手書きツールボード３０の表示は、図４（Ａ）に示す初期モードに戻り、さらなる文字の入力を待機する。
【００８２】
（文字列の変換）
図１７のＳ１６において、文字記入領域５５に表示されている文字列の変換が必要と判断したら、手書きツールボード３０が図８（Ａ）に示す表示状態のときに、右ボタン８を押圧操作する（Ｓ１８）。この操作により、図９（Ｂ）に示すように、文字記入領域５５内の文字列が変換される。図９（Ｂ）に示す例では、「ひとなみだめ」のひらがなの文字列が、「人並みダメ」と変換されている。またその変換範囲は「人並み」と「ダメ」とに区分されており、「人並み」の文字列には太いアンダーラインが付され、「ダメ」の文字列には細いアンダーラインが付されている。
【００８３】
また、図８（Ａ）の表示状態で右ボタン８が押圧操作され、図９（Ａ）（Ｂ）に示す文字列変換モードになると、手書きツールボード３０の表示状態が切換わる。パネル３３の表示は、左右に二分された左切り替えパネル３７ａと右切り替えパネル３７ｂの画像に切換わる。左切り替えパネル３７ａには、「決定」の文字が表示され、右切り替えパネル３７ｂには「変換」の文字が表示される。また右ボタンパネル３４には右向きの矢印が表示され、左ボタンパネル３５には左向きの矢印が表示される。
【００８４】
図１７のＳ１９において、ドキュメントツールボード５０の文字記入領域５５内に表示されている文字の変換内容が正しいと判断したときには、Ｓ２０において「決定」と表示された左切り替えパネル３７ａに対応している入力パッド７の左操作領域１７ａをタッピングすることで、文字記入領域５５に表示されている文字列の入力が確定する。
【００８５】
文字記入領域５５に表示されている文字列が希望する変換内容でない場合は、図１７のＳ２１において、変換範囲が正しいか否か判断する。図９（Ｂ）での表示内容では、文字記入領域５５に表示されている文字列のうちの変換範囲が「人並み」と「ダメ」とに区分されている。この変換範囲の区分が正しいと判断したときは、Ｓ２２に移行し、図９（Ａ）（Ｂ）の表示状態において、入力パッド７の右操作領域１７ｂをタッピングする。その結果、図１０（Ａ）（Ｂ）の表示状態に切り替えられ、ドキュメントツールボード５０の文字記入領域５５内に、「人並み」の文字列の変換候補のリスト５８が表示される。このリスト５８内の変換候補は、図３に示す辞書ツール２７から読み出される。
【００８６】
図１０（Ａ）（Ｂ）の表示状態において、入力パッド７の右操作領域１７ｂをタッピングする度に、リスト５８内での候補の選択が順番に一列ずつ下側へ移動していく。「人並み」の区分を他の希望の文字列に変換できたら、図１１（Ａ）（Ｂ）に示すように、変換範囲の区分を「ダメ」の文字列に移動させる。すなわち、右向きの矢印が表示されている右ボタン８を押圧操作すると、「ダメ」の文字列の下に太いアンダーラインが移動する。この状態で、入力パッド７の右操作領域１７ｂをタッピングすると、図１０（Ｂ）と同様のリスト５８が表示され、このリスト５８内に「ダメ」の文字の他の変換候補が表示される。そして、右操作領域１７ｂをタッピングすることで、リスト５８内の候補を順番に選択できる。
【００８７】
「人並み」の区分と「ダメ」の区分でそれぞれ希望の変換候補を選択したら、図１７のＳ２０に移行し、入力パッド７の左操作領域１７ａをタッピングする。この操作で、漢字を含む文字列が決定し、ドキュメントツールボード５０の文字記入領域５５内に、変換を決定した文字列（例えば「人並みダメ」の文字列）が表示される。
【００８８】
図１７のＳ２３において、文字列の変換範囲を変更したいときには、Ｓ２４に移行し、ドキュメントツールボード５０の文字記入領域５５に表示されている文字列での変換範囲を変更する。図１２（Ａ）（Ｂ）に示すように、先に右ボタン８を押し、その後に右ボタン８を押しながら左ボタン９を押すと、「人並み」の文字列の変換範囲が短くなり、図１２（Ｂ）に示すように「ひとな」が新たな変換範囲になる。この変換範囲は左ボタン９をさらに続けて押しなおすことによりさらに短くなる。このとき、図１２（Ａ）に示すように、右ボタンパネル３４に「＞」の表示が現れ、左ボタンパネル３５に「＜＜」の表示が現れる。
【００８９】
また、変換範囲を長く伸ばしたいときは、先に左ボタン９を押圧し、その後左ボタン９を押したまま右ボタン８を押すことで、変更できる。
【００９０】
その後は、図１０（Ａ）（Ｂ）に示すように、入力パッド７の右操作領域１７ｂをタッピングすることで、新たに設定した変換範囲内の文字列の変換候補がリスト５８に表示される。その後の決定は前述の通りである。
【００９１】
図１３と図１４は前記実施の形態の変形例を示している。
図１３（Ａ）（Ｂ）では、手書きツールボード３０の表示が、図９（Ａ）（Ｂ）と逆であって、左切り替えパネル３７ａに左向きの矢印が表示され、右切り替えパネル３７ｂに右向きの矢印が表示され、右ボタンパネル３４に「変換」の文字が、左ボタンパネル３５に「決定」の文字が表示されている。このように、入力パッド７の左操作領域１７ａおよび右操作領域１７ｂでの入力項目と、右ボタン８および左ボタン９での入力項目とが逆とされても前述と同様に入力操作を行なうことができる。
【００９２】
図１４（Ａ）（Ｂ）では、文字列の選択範囲を変更するときの手書きツールボード３０の表示が、図１２（Ａ）（Ｂ）と相違している。
【００９３】
図１４（Ａ）（Ｂ）は、図１３（Ａ）（Ｂ）から継続する操作であり、右ボタンパネル３４に「変換」の文字が、左ボタンパネル３５に「決定」の文字が表示されている。このときに、入力パッド７の右操作領域１７ｂに触れた指を左操作領域１７ａへ向けてスライドさせると、図１２（Ｂ）と同様に、文字列の変換範囲が短くなる。このとき、右操作領域１７ｂに「→」が表示され、左操作領域１７ａに「＜＜」が表示される。
【図面の簡単な説明】
【００９４】
【図１】本発明の入力処理装置を備えたパーソナルコンピュータの斜視図、
【図２】平面型の入力部材の平面図、
【図３】入力処理装置の回路ブロック図、
【図４】（Ａ）は手書きツールボードの表示例、（Ｂ）はドキュメントツールの表示例を示す説明図であり、初期状態を示す、
【図５】（Ａ）は手書きツールボードの表示例、（Ｂ）はドキュメントツールの表示例を示す説明図であり、入力モードの選択動作を示す、
【図６】設定ボードの表示例を示す説明図、
【図７】（Ａ）は文字入力モードでの手書きツールボードの表示例、（Ｂ）は文字が選択された後の手書きツールボードの表示例、（Ｃ）は文字が選択された後のドキュメントツールの表示例を示す説明図、
【図８】（Ａ）は手書きツールボードの表示例、（Ｂ）はドキュメントツールの表示例を示す説明図であり、複数の文字が入力された状態を示す、
【図９】（Ａ）は手書きツールボードの表示例、（Ｂ）はドキュメントツールの表示例を示す説明図であり、文字列の変換操作を示す、
【図１０】（Ａ）は手書きツールボードの表示例、（Ｂ）はドキュメントツールの表示例を示す説明図であり、文字列の変換操作を示す、
【図１１】（Ａ）は手書きツールボードの表示例、（Ｂ）はドキュメントツールの表示例を示す説明図であり、文字列の変換操作を示す、
【図１２】（Ａ）は手書きツールボードの表示例、（Ｂ）はドキュメントツールの表示例を示す説明図であり、文字列の変換範囲の変更操作を示す、
【図１３】（Ａ）は手書きツールボードの表示例、（Ｂ）はドキュメントツールの表示例を示す説明図であり、文字列の変換操作を示す他の表示例、
【図１４】（Ａ）は手書きツールボードの表示例、（Ｂ）はドキュメントツールの表示例を示す説明図であり、文字列の変換範囲の変更操作を示す他の表示例、
【図１５】モード設定の動作フローチャート、
【図１６】キャンセル動作のフローチャート、
【図１７】文字列の入力と変換操作を示すフローチャート、
【符号の説明】
【００９５】
１  パーソナルコンピュータ
６  表示装置
７  入力パッド
７ａ  入力面
８  右ボタン
９  左ボタン
１２  パッド検知部
１３  パッド入力信号生成部
１６ａ  入力操作領域
１６ｂ  選択操作領域
１６ｃ  上矢印操作領域
１６ｄ  下矢印操作領域
１７ａ  左操作領域
１７ｂ  右操作領域
２２  オペレーティングシステム
２４  手書きツール
２５  ドキュメントツール
３０  手書きツールボード
３３  パネル
３４  右ボタンパネル
３５  左ボタンパネル
３６ａ  入力パネル
３６ｂ  操作パネル
３６ｃ  上操作パネル
３６ｄ  下操作パネル
３７ａ  左切り替えパネル
３７ｂ  右切り替えパネル
３８  選択パネル
５０  ドキュメントツールボード
５５  文字記入領域
６０  設定ボード
【図１】
2010020664.tif 000003
【図２】
2010020664.tif 000004
【図３】
2010020664.tif 000005
【図４】
2010020664.tif 000006
【図５】
2010020664.tif 000007
【図６】
2010020664.tif 000008
【図７】
2010020664.tif 000009
【図８】
2010020664.tif 000010
【図９】
2010020664.tif 000011
【図１０】
2010020664.tif 000012
【図１１】
2010020664.tif 000013
【図１２】
2010020664.tif 000014
【図１３】
2010020664.tif 000015
【図１４】
2010020664.tif 000016
【図１５】
2010020664.tif 000017
【図１６】
2010020664.tif 000018
【図１７】
2010020664.tif 000019